(57)【特許請求の範囲】
【請求項１】
前身頃の中心に位置して局部を覆うと共に股部まで延在する第一布と、該第一布の外側縁に縫着されて股部の左右両側位置まで延在する左右一対の第二布を備え、
前記第一布と第二布との股部両側位置で互いに縫着される下側縁はオーバーラップ状に裁断して立体的に縫着され、
前記第一布は前身頃中心で互いに縫着される左右一対の布からなり、該左右一対の第一布と前記左右一対の第二布は伸縮性編地で形成されていると共に、いずれも横方向伸びよりも縦方向伸びが大とされ、かつ、
後身頃は、左右の臀部を覆う中央から股部および該股部両側の足回り端の下端まで延在する一枚の第三布と、該第三布を囲む上側部および左右外側部を連続した第四布とで構成され、これら第三布と第四布とが縫着されていると共に、第四布が前身頃側に延在して前記第二布の外側縁と縫着され、
前記第三布および第四布は伸縮性編地で形成されていると共に、第三布は縦方向伸びより横方向伸びが大とされている一方、前記第四布は横方向伸びより縦方向伸びが大とされていることを特徴とする男性用パンツ。
【請求項２】
前記第一布と第二布の立体的に縫着される部分では、さらに、第一布にギャザーあるいはタックを付けて第二布に縫着されている請求項１に記載の男性用パンツ。
【請求項３】
前開きを有しない構成とされ、かつ、前記第一布と第二布とは伸縮率を相違させて、第一布の伸縮力が大とされている請求項１または請求項２に記載の男性用パンツ。
【請求項４】
前記第三布の上端縁は左右の臀部の上周縁に跨がるように連続させていると共に、左右両側縁は前記上端縁の左右両側から湾曲して左右の臀部の外側周縁に沿って足回り下端まで延在し、かつ、
前記第四布は後身頃中心で分割した一対の布から形成され、後身頃の上部中央で互いに縫着されている請求項１乃至請求項３のいずれか１項に記載の男性用パンツ。
【請求項５】
前記第二布の外側縁は股部に向けて下方傾斜させて足回り端まで延在させていると共に、該第二布の外側縁と縫着される前記第四布の端縁は前身頃側において左右腰部より股部側に向けて傾斜して延在させ、
前記第二布および第三布で足回り内側周縁が構成されていると共に、該足回りの外周縁は前記第四布で構成されている請求項１乃至請求項４のいずれか１項に記載の男性用パンツ。
【請求項６】
足回りの下端は大腿部に沿わせたトランクス形状とされている請求項１乃至請求項５のいずれか１項に記載の男性用パンツ。
【発明の詳細な説明】
【技術分野】
【０００１】
本発明は、男性用パンツに関し、特に、トランクス型のパンツにおいて、股部両側の大腿部の内側部分にゆとりを持たせて開放感を与えると共に、足の動きに対する追従性を高め、着用感の向上を図るものである。
【背景技術】
【０００２】
従来、男性用パンツにおいても、女性用ショーツと同様に種々の改良がなされており、伸縮性を有する素材を用いて挙動追従性を高めると共に、局部等の膨らみにもフィットする立体裁断した男性用パンツが提供されている。
例えば、特開平１１−２８６８０１号公報（特許文献１）には、図４および図５に示されるように、前身中央生地２、左右に設けた前身脇部および後身裾部用生地３ならびに後身用生地４により形成され、前身脇部および後身裾部用生地３の凹状曲線による左右上縁部３ａ、３ａと、後身用生地４の凸状曲線による左右の側縁部４ａ、４ａをそれぞれ縫着して臀部に膨らみ部を形成したパンツ１が提供されている。
【０００３】
男性用パンツにおいては、局部に適度なゆとりがないと、圧迫感が生じたり、夏季の高温時には蒸れが生じたりして着用感が悪くなる。
前記特許文献１のパンツ１では、局部を覆う前身中央生地２の凹状側縁部２ａと、左右の前身脇部および後身裾部用生地３の凸状側縁部３ｂとが縫着されて局部下端部は円錐形状とされ、局部、特に、股部両側近辺にゆとりがなく、圧迫感を与えるおそれがある。
【０００４】
【特許文献１】特開１１−２８６８０１号公報
【発明の開示】
【発明が解決しようとする課題】
【０００５】
本発明は前記問題に鑑みてなされたものであり、局部に適度なゆとりを与え、優れた着用感が得られる男性用パンツを提供することを課題としている。
【課題を解決するための手段】
【０００６】
前記課題を解決するため、本発明は、前身頃の中心に位置して局部を覆うと共に股部まで延在する第一布と、該第一布の外側縁に縫着されて股部の左右両側位置まで延在する左右一対の第二布を備え、
前記第一布と第二布との股部両側位置で互いに縫着される下側縁はオーバーラップ状に裁断して立体的に縫着され、
前記第一布は前身頃中心で互いに縫着される左右一対の布からなり、該左右一対の第一布と前記左右一対の第二布は伸縮性編地で形成されていると共に、いずれも横方向伸びよりも縦方向伸びが大とされ、かつ、
後身頃は、左右の臀部を覆う中央から股部および該股部両側の足回り端の下端まで延在する一枚の第三布と、該第三布を囲む上側部および左右外側部を連続した第四布とで構成され、これら第三布と第四布とが縫着されていると共に、第四布が前身頃側に延在して前記第二布の外側縁と縫着され、
前記第三布および第四布は伸縮性編地で形成されていると共に、第三布は縦方向伸びより横方向伸びが大とされている一方、前記第四布は横方向伸びより縦方向伸びが大とされていることを特徴とする男性用パンツを提供している。
【０００７】
前記のように、局部を覆う第一布と、該第一布の外側縁に縫着される左右一対の第二布の下側縁は、平面的に配置するとオーバーラップするように裁断して、このオーバーラップした第一布と第二布の端縁同士を合わせるように縫着されることにより、オーバーラップした部分により形成された空間分だけゆとりある立体形状とすることができる。このように局部の下部両側，即ち股部の両側にゆとりを持たせることで、適度な開放感を与えることができる。かつ、起立状態から着座状への挙動時、歩行時、走行時などの足に動きに対して股部の両側にゆとりを持たせいることで、挙動時において強い接触感や、締め付け感が生じることなく、挙動に追従させることができ、優れた着用感を得ることができる。
【０００８】
また、前記第一布と第二布の立体状に縫着される部分では、さらに、第一布にギャザーあるいはタックを付けて第二布に縫着されていることが好ましい。
前記構成とすることにより、股部両側近辺の形状をよりゆとりがある立体形状とすることができる。
なお、前記第一布に前記ギャザーやタックを付けるために、オーバーラップ状に裁断された前記第一布の下側縁の長さを、オーバーラップ状に裁断された前記第二布の下側縁の長さより長くしたり、また、前記第一布、第二布が伸縮性編地で形成されている場合には、前記第一布に縫着される第二布の下側縁を０．５ｃｍ〜１．５ｃｍ引き伸ばした状態で縫着することによっても、前記第一布に前記ギャザーやタックを付けることができる。
【０００９】
前記第一布は前身頃中心で互いに縫着される一対の布からなり、前記左右一対の第一布と前記左右一対の第二布は伸縮性編地で形成されていると共に、いずれも横方向伸びよりも縦方向伸びが大とされている。
また、本発明の男性用パンツは前開きを有しない構成とされ、かつ、第一布と第二布とは伸縮率を相違させて、第一布の伸縮力が大とされていることが好ましい。
【００１０】
前記のように、一対の布からなる第一布を前身頃中心で互いに縫着していることで、前記股部両側近辺だけでなく、前身頃中心部分も局部の膨らみに対応できるように、膨出させた立体形状とすることができる。
また、前記のように、前記左右一対の第一布と前記左右一対の第二布を伸縮性編地で形成すると共に、いずれも横方向伸びよりも縦方向伸びを大とすることにより、着用時にウエストラインを適度に引き上げて着用者の体型に応じてフィットさせることができる。かつ、挙動時においては大腿部前面側は上下方向の動きとなるため、この動きに対して、縦方向の伸び縮みにスムーズに追随させることができ、フィット性を高めることができる。  さらに、前記のように、第一布の伸縮力を大とすると、局部の引き上げ力を高め、適度なホールド感を得ることができる。
伸縮性を有する編地としては、例えば、フライス編地、天竺編地、スムース編地、伸縮性ツーウエイトリコット編地、伸縮性ラッセル編地等が好適に用いられる。
【００１１】
本発明では、前記のように、後身頃は、左右の臀部を覆う中央から股部および該股部両側の足回り端の下端まで延在する一枚の第三布と、該第三布を囲む上側部および左右外側部を連続した第四布とで構成され、これら第三布と第四布が縫着されていると共に、第四布が前身頃側に延在して前記第二布の外側縁と縫着され、前記第三布および第四布は伸縮性編地で形成されていると共に、第三布は縦方向伸びより横方向伸びが大とされている一方、前記第四布は横方向伸びより縦方向伸びが大とされている。
【００１２】
前記後身項の第三布は、着座姿勢やしゃがんだ姿勢となった時に対応させており、当該姿勢となった時には臀部の幅が３０％程度広がることが知られている。したがって、左右の臀部を覆う第三布の横方向の伸びを、縦方向の伸びより大きくすることにより、しゃがんだときの臀部の幅の広がりにスムーズに追随させることができ、臀部への圧迫感をなくすことができる。かつ、左右臀部膨出部の間に臀裂に生地を分割して縫着している場合には縫着ラインに沿って伸びが中断されるが、本発明では、臀裂に沿って縫着せずに一枚布で形成しているため、伸縮性が良く臀部の挙動にスムーズに追従させることができる。
一方、臀部の上側にある腰部および臀部の左右外側にある両脇部は、前屈や屈伸時などには縦方向に大きく伸びる。これに対応させて、前記第三布を囲む上側部および左右外側部を連続した第四布の縦方向の伸びを、横方向の伸びより大きくしていることにより、腰部や両脇部の縦方向の伸び縮みにスムーズに追随させ、フィット性を高めることができる。よって、前屈や屈伸時のパンツのズレ下がりを防止でき、快適な着用感が得られる。
【００１３】
前記第三布の上端縁は左右の臀部の上周縁に跨がるように連続させていると共に、左右両側縁は前記上端縁の左右両側から湾曲して左右の臀部の外側周縁に沿って足回り下端まで延在し、かつ、前記第四布は後身頃中心で分割した一対の布から形成され、前記第四布は後身頃の上部中央で互いに縫着されていることが好ましい。
【００１４】
前記構成とすることにより、横方向の伸びが縦方向よりも大きい前記第三布が左右の臀部全体をすっぽりと覆う形となるため、しゃがんだときの突っ張り感をより少なくすることができる。
また、前記のように、後身頃中心で分割した一対の第四布を後身頃の上部中央で互いに縫着することにより、ウエスト周りの横伸びを抑えフィット性を高めることができる。
【００１５】
前記第二布の外側縁は股部に向けて下方傾斜させて足回り端まで延在させていると共に、該第二布の外側縁と縫着される前記第四布の端縁は前身頃側において左右腰部より股部側に向けて傾斜して延在させ、前記第二布および第三布で股部を囲む足回り内側周縁が構成されていると共に、該足回りの外周縁は前記第四布で構成されていることが好ましい。
前記のように、前記第二布および第四布の端縁を傾斜させて縫着させることにより、より足の動きに対して追従させやすくしている。
【００１６】
また、足回りの下端は大腿部に沿わせているトランクス形状としていることが好ましい。
前記のように、本発明の男性用パンツをトランクス形状とすることにより、裾のくい込みが防止でき、快適な装着感を得ることができる。なお、トランクス形状であれば、ショート、ロングいずれでもよい。
【発明の効果】
【００１７】
前述したように、本発明の男性用パンツは、局部を覆う第一布と、該第一布の外側縁に縫着される左右一対の第二布の下側縁がオーバーラップするように裁断されるため、オーバーラップした第一布と第二布の端縁同士を合わせるように縫着すると、オーバーラップした部分によって形成された空間分だけゆとりある立体形状とすることができる。したがって、局部に適度な開放感を与え、優れた着用感を得ることができる。
また、第一布にギャザーあるいはタックを付けて、第二布に縫着すると、股部両側近辺をさらにゆとりある立体形状とすることができる。
【００１８】
さらに、一対の布からなる第一布を前身頃中心で互いに縫着させることにより、前記股部両側近辺だけでなく、前身頃中心部分も膨出させた立体形状とすることが可能となる。
また、前記のように、前記左右一対の第一布と前記左右一対の第二布を伸縮性編地で形成すると共に、いずれも横方向伸びよりも縦方向伸びを大とすることにより、足の動きに伴う、大腿部前面部分の縦方向の伸び縮みにスムーズに追随させ、フィット性を高めることができる。
さらに、第一布の伸縮力を大とすることにより、局部を引き上げ、適度なホールド感を得ることができる。
【００１９】
また、前記のように、左右の臀部を覆う第三布の横方向の伸びを、縦方向の伸びより大きくすることにより、しゃがんだときの臀部の幅の広がりにスムーズに追随させることができ、臀部の突っ張り感を防ぐことができる。さらに、前記第三布を囲む上側部および左右外側部を連続した第四布の縦方向の伸びを、横方向の伸びより大きくすることにより、前屈や屈伸時などの腰部や両脇部の縦方向の伸び縮みにスムーズに追随させ、フィット性を高めることができる。よって、前屈や屈伸時のパンツのズレ下がりを防止することができる。
【００２０】
また、前記のように、前記第三布の上端縁は左右の臀部の上周縁に跨がるように連続させると共に、左右両側縁を前記上端縁の左右両側から湾曲させ、左右の臀部の外側周縁に沿って足回り下端まで延在させることにより、横方向の伸びが大きい前記第三布が左右の臀部全体をすっぽり覆う形となるため、しゃがんだときの突っ張り感をより少なくすることができる。
さらに、後身頃中心で分割した一対の第四布を後身頃の上部中央で互いに縫着することにより、縫着による伸び止めで、ウエスト周りのフィット性を高めることができる。
【００２１】
前記のように、前記第二布および第四布の端縁を傾斜させて縫着させることにより、足の動きにより追随させやすくなる。
また、足回りの下端は大腿部に沿わせるトランクス形状とすることにより、裾のくい込みが防止でき、快適な装着感を得ることができる。
【発明を実施するための最良の形態】
【００２２】
以下、本発明の実施形態を図面を参照して説明する。
図１および図２は、本発明の実施形態に係るトランクスタイプのパンツ１０を示している。
前記パンツ１０は、前身頃の中心に位置し、局部を覆うと共に股部まで延在する左右一対の第一布１１（１１Ａ、１１Ｂ）と、第一布１１の外側縁１１ａに縫着され、股部の左右両側位置まで延在する左右一対の第二布１２（１２Ａ、１２Ｂ）と、後身頃の左右臀部を覆い、股部および股部両側の足回り端の下端まで延在する第三布１３と、第三布１３の外側縁１３ａおよび第二布１２の外側縁１２ａと縫着され、第三布１３を囲むように上側部および左右両側部を連続した一対の第四布１４（１４Ａ、１４Ｂ）とから構成されている。第一布１１、第二布１２、第三布１３、第四布１４は、共に伸縮性編地からなり、本実施形態では天竺編地を用いている。
【００２３】
図３は、第一布１１、第二布１２、第三布１３、第四布１４の裁断パターン図である。第一布１１は、その外側縁（１１ａ）であるｓ−ｔ−ｕが、第二布１２の外側縁ｓ−ｔ−ｖと縫着されるが、股部両側位置で縫着される第一布１１の下側縁ｔ−ｕと第二布１２の下側縁ｔ−ｖがオーバーラップするように、第一布１１、第二布１２が裁断されている。
【００２４】
第一布１１と第二布１２は、まず、ｓからｔまで縫着ラインｓ−ｔに沿って縫着された後、オーバーラップした第一布１１の下側縁ｔ−ｕと第二布１２の下側縁ｔ−ｖを合わせるよう立体状に縫着される。これにより、オーバーラップした部分により形成された空間分、股部両側近辺にゆとりが生じた状態となる。
なお、この縫着の際には、第一布１１の下側縁ｔ−ｕと第二布１２の下側縁ｔ−ｖとを０．５ｃｍ引き伸ばした状態で縫着されることにより、第一布１１にギャザー１１ｃが付けられている。
一方、一対の第一布１１Ａと１１Ｂは前身頃中心１１ｂで互いに縫着され、前開きを有しない形状とされている。
【００２５】
第二布１２は、その外側縁１２ａが股部に向けて下方傾斜され、足回り端まで延在されている。また、第一布１１と第二布１２は、共に、横方向の伸びより縦方向の伸びが大とされており、編地の編目を縦方向としている。さらに、第一布１１と第二布の伸縮率を相違させ、第一布１１の伸縮力を第二布１２の伸縮力より大としている。
【００２６】
後身頃の第三布１３は、外側縁１３ａの上端縁が左右の臀部の上周縁に跨がるように連続し、左右の両側縁が、上端縁の左右両側から湾曲して左右の臀部外側周縁に沿って足回り下端まで延在する形状としている。第三布１３は、股部で第一布１１Ａ、１１Ｂと縫着されると共に、股部両側位置で第二布１２Ａ、１２Ｂと縫着されており、第二布１２と第三布１３で股部を囲む足回り内側周縁を構成している。
第三布１３は、縦方向の伸びより横方向の伸びが大とされており、編地の編目を横方向としている。
【００２７】
第二布１２の外側縁１２ａおよび第三布１３の外側縁１３ａと縫着される一対の第四布１４Ａ、１４Ｂは、後身頃の上部中央１４ａで互いに縫着されている。また、第四布１４の端縁（１２ａと同一ライン）は前身頃側において左右腰部側より股部側に向けて傾斜して足回り下端まで延在させ、足回り外周縁を第四布で構成している。
第四布１４は、横方向の伸びより縦方向の伸びが大とされており、編地の編目を縦方向とされている。
最後に、一対の第一布１１、第二布１２、第四布１４の上端縁が伸縮性ゴム１５に適宜縫着され、本発明の男性用パンツが完成する。
【００２８】
前記のように、本実施形態の男性用パンツ１０は、局部を覆う左右一対の第一布１１と、第一布１１の外側縁１１ａに縫着される左右一対の第二布１２の下側縁（ｔ−ｕとｔ−ｖ）がオーバーラップするように裁断されるため、オーバーラップした第一布と第二布の端縁同士（ｔ−ｕとｔ−ｖ）を合わせるように縫着されることにより、オーバーラップした部分によって形成された空間分だけゆとりある立体形状とすることができる。したがって、局部に適度な開放感を与え、優れた着用感を得ることができる。
また、第一布１１にギャザー１１ｃを付けて、第二布１２に縫着されことにより、股部両側近辺をさらにゆとりある立体形状とすることができる。
【００２９】
さらに、一対の布からなる第一布１１Ａ、１１Ｂを前身頃中心１１ｂで互いに縫着させることにより、股部両側近辺だけでなく、前身頃中心部分も膨出させた立体形状とすることが可能となる。
また、前記のように、第一布１１と第二布１２を伸縮性編地で形成すると共に、いずれも横方向伸びよりも縦方向伸びを大とすることにより、足の動きに伴う、大腿部前面部分の縦方向の伸び縮みにスムーズに追随させ、フィット性を高めることができる。
さらに、第一布１１の伸縮力を大とすることにより、局部を引き上げ、適度なホールド感を得ることができる。
【００３０】
また、前記のように、左右の臀部を覆う第三布１３の横方向の伸びを、縦方向の伸びより大きくすることにより、しゃがんだときの臀部の幅の広がりにスムーズに追随させることができ、臀部の突っ張り感を防ぐことができる。さらに、第三布１３を囲む上側部および左右外側部を連続した第四布１４の縦方向の伸びを、横方向の伸びより大きくすることにより、前屈や屈伸時などの腰部や両脇部の縦方向の伸び縮みにスムーズに追随させ、フィット性を高めることができる。よって、前屈や屈伸時のパンツのズレ下がりを防止することができる。
【００３１】
また、前記のように、第三布１３の上端縁は左右の臀部の上周縁に跨るように連続させると共に、左右両側縁を前記上端縁の左右両側から湾曲させ、左右の臀部の外側周縁に沿って足回り下端まで延在させることにより、横方向の伸びが大きい第三布１３が左右の臀部全体をすっぽり覆う形となるため、しゃがんだときの突っ張り感をより少なくすることができる。
さらに、第四布１４を後身頃の上部中央１４ａで互いに縫着することにより、ウエスト周りの横伸びを抑えフィット性を高めることができる。
【００３２】
前記のように、第二布１２および第四１４の端縁を傾斜させて縫着させることにより、足の動きにより追随させやすくなる。
また、足回りの下端は大腿部に沿わせるトランクス形状とすることにより、裾のくい込みが防止でき、快適な装着感を得ることができる。
【図面の簡単な説明】
【００３３】
【図１】本実施形態の男性用パンツを正面側からみた概略斜視図である。
【図２】本実施形態の男性用パンツを背面側からみた概略斜視図である。
【図３】第一布、第二布、第三布、第四布の縫着前の位置関係を示す図である。
【図４】従来例を示す図面である。
【図５】従来例を示す図面である。
【符号の説明】
【００３４】
１０  男性用パンツ
１１  第一布
１２  第二布
１３  第三布
１４  第四布
１５  伸縮性ゴム
【図１】
0004781132.tif 000002
【図２】
0004781132.tif 000003
【図３】
0004781132.tif 000004
【図４】
0004781132.tif 000005
【図５】
0004781132.tif 000006